(57)【要約】【課題】取付可能な電気機器が制限されることなく、電気機器の機能を十分に発揮させることができる照明装置を提供する。【解決手段】照明装置10は、照明器具12および電気機器13を備える。照明器具12は、下面に発光部17を有する筐体16、および筐体16の外周16aの一部から下面の一部に亘って開口する取付開口26を有する。電気機器13は、筐体16の取付開口26に着脱可能に取り付ける。【選択図】図１
2016035875.tif 000002
【特許請求の範囲】
【請求項１】
下面に発光部を有する筐体、および前記筐体の外周の一部から下面の一部に亘って開口する取付開口を有する照明器具と；
前記筐体の前記取付開口に着脱可能に取り付けられる電気機器と；
を具備することを特徴とする照明装置。
【請求項２】
前記電気機器は、前記筐体の外周側から前記取付開口にスライド挿入されて前記筐体に取り付けられるとともに電気的に接続される
ことを特徴とする請求項１記載の照明装置。
【請求項３】
前記発光部は導光板を有し、前記導光板の外周の一部に開口して前記取付開口が設けられている
ことを特徴とする請求項１または２記載の照明装置。
【発明の詳細な説明】
【技術分野】
【０００１】
本発明の実施形態は、照明器具および電気機器を備える照明装置に関する。
【背景技術】
【０００２】
従来、天井面に、照明器具とともに、例えばスピーカ等の他の機能を有する電気機器を一緒に設置するようにした照明装置がある。
【０００３】
例えば、引掛シーリングボディの周囲の天井面にスピーカユニットを取り付け、引掛シーリングボディにアダプタを介して照明器具を取り付けるようにした照明装置がある。あるいは、引掛シーリングボディにスピーカユニットを取り付け、スピーカユニットに照明器具を取り付けるようにした照明装置がある。
【０００４】
いずれの照明装置の場合にも、電気機器は天井と照明器具との間に配置されている。そして、床面側から見れば、照明器具で電気機器が隠れる位置に配置されることになる。そのため、電気機器の機能は、スピーカ等に限られてしまう。しかも、スピーカであっても、照明器具が障害となって音質に影響が生じる虞がある。
【０００５】
このように、電気機器を天井と照明器具との間に配置するため、配置可能な電気機器の機能が制限されたり、電気機器の機能を十分に発揮できない。
【先行技術文献】
【特許文献】
【０００６】
【特許文献１】特開平１１−２２５３８５号公報
【発明の概要】
【発明が解決しようとする課題】
【０００７】
本発明が解決しようとする課題は、取付可能な電気機器が制限されることなく、電気機器の機能を十分に発揮させることができる照明装置を提供することである。
【課題を解決するための手段】
【０００８】
実施形態の照明装置は、照明器具および電気機器を備える。照明器具は、下面に発光部を有する筐体、および筐体の外周の一部から下面の一部に亘って開口する取付開口を有する。電気機器は、筐体の取付開口に着脱可能に取り付ける。
【発明の効果】
【０００９】
本発明によれば、取付可能な電気機器が制限されることなく、電気機器の機能を十分に発揮させることが期待できる。
【図面の簡単な説明】
【００１０】
【図１】一実施形態を示す照明装置の下面側の斜視図である。
【図２】同上照明装置の上面側の斜視図である。
【図３】同上照明装置の照明器具から電気機器を外した状態の下面側の斜視図である。
【図４】同上照明装置の照明器具から電気機器を外した状態の上面側の斜視図である。
【図５】同上照明装置の照明器具から電気機器を外した状態の底面図である。
【図６】同上照明器具の断面図である。
【図７】同上照明器具に取付可能な電気機器の他の例を示す底面図である。
【発明を実施するための形態】
【００１１】
以下、一実施形態を、図１ないし図７を参照して説明する。
【００１２】
図１ないし図６に示すように、照明装置10は、天井面に直付け固定される照明器具12、およびこの照明器具12に着脱可能に取り付けられる電気機器13を備えている。なお、照明器具12は、天井面に設置された引掛シーリングボディに取付可能とする角形のシーリングライトでもよい。
【００１３】
そして、照明器具12は、筐体16、およびこの筐体16の下面に設けられる発光部17を備えている。本実施形態では、筐体16の下面両側に発光部17がそれぞれ設けられているとともに、筐体16の下面中央であって両側の発光部17の間に下面カバー18および電気機器13が取り付けられている。
【００１４】
筐体16は、外周形状が四角形状に形成されている。筐体16は、器具本体21、この器具本体21の上面を覆う上面カバー22、および器具本体21の下面中央を覆う下面カバー18を備えている。
【００１５】
器具本体21の中央には、天井面に取り付けられる取付枠部23が上方へ突設されている。取付枠部23の下部両側には、それぞれ発光部17を取り付ける四角形平板状の取付板部24が設けられている。両側の取付板部24間には、下面カバー18を取り付ける取付スペース25が形成されているとともに、下面カバー18の一端に電気機器13を着脱可能に取り付ける取付開口26が形成されている。
【００１６】
取付開口26は、筐体16の外周16aの一部から下面の一部、さらに上面の一部に亘って開口形成されている。具体的には、下面カバー18の外周の一部から下面の一部、さらに上面の一部に亘って開口形成されている。取付開口26は、両側の発光部17の間に位置し、下面から見て四角形状に形成されている。
【００１７】
取付開口26の上側に下面カバー18の上壁部27が形成されている。上壁部27には筐体16の外周側から取付開口26にスライド挿入される電気機器13をスライド可能に支持するスライド支持部28が形成されている。スライド支持部28は、スライド挿入方向Ｓに沿って上壁部27から下方へ突設された一対の突片部29、およびこれら突片部29の外周側の端部に互いに反対方向に向けて略Ｌ字形に突出する突起部30を有している。また、電気機器13のスライド挿入方向Ｓに対応した取付開口26の奥側の面には、スライド挿入によって取付開口26に取り付けられる電気機器13が電気的に接続される給電部31が形成されている。給電部31は雌形コネクタ32によって構成されている。なお、図示していないが、取付開口26に取り付けられた電気機器13を係止する係止部が設けられている。係止部は、爪構造でもよいし、あるいはねじ等でもよい。
【００１８】
上面カバー22は、角錐台形状に形成されている。上面カバー22の中央開口から器具本体21の取付枠部23が突出されている。上面カバー22の外周は取付板部24の外周に一致するように形成されている。
【００１９】
また、発光部17は、導光板35を備えている。導光板35は、例えばアクリル樹脂等の光透過率の高い材料で平板状に形成されている。導光板35は、器具本体21の取付板部24の外周形状よりも大きい外周形状を有する四角形状に形成されている。
【００２０】
導光板35の上面には、導光板35内を導光する光を下方へ拡散反射させる反射板36が配設されている。導光板35の下面には、導光板35の下面から出射する光を拡散させて出射する拡散板37が配設されている。
【００２１】
筐体16の内側に向く各導光板35の端面が入射面35aとして構成され、この入射面35aに対向して発光モジュール39が配置されている。発光モジュール39は、基板40、およびこの基板40に実装された複数の発光素子41を備えている。基板40は筐体16（下面カバー18または器具本体21）に取り付けられている。発光素子41は、本実施形態ではＬＥＤが用いられるが、ＬＥＤの他、例えば有機ＥＬ等の他の発光素子を用いてもよい。複数の発光素子41が導光板35の入射面35aに対向し、複数の発光素子41が発する光が入射面35aから導光板35内に入射する。
【００２２】
なお、照明器具12は、発光モジュール39に電力を供給する電源ユニット42を備えている。電源ユニット42は、器具本体21の取付枠部23内に配置されている。電源ユニット42は、交流電力を所定の直流電力に変換して発光モジュール39の発光素子41に供給する。照明器具12を天井面に設置する際に、天井面上に配線されている電源線が電源ユニット42に電気的に接続され、電源線を通じて交流電力が電源ユニット42に供給される。
【００２３】
また、電気機器13は、取付開口26に着脱可能に取り付けられる電気機器本体45を備えている。電気機器本体45は、取付開口26の形状に対応し、下面から見て四角形状に形成されている。
【００２４】
電気機器13は、取付開口26のスライド支持部28にスライド可能に支持されるスライド部46、およびスライド挿入によって給電部31に電気的に接続される受電部47を有している。スライド部46は、電気機器本体45の上面にスライド挿入方向Ｓに沿って形成された一対の溝部48、およびこれら溝部48の中間位置で互いに反対側に形成された挿通部49を有している。また、受電部47は、電気機器本体45のスライド挿入方向Ｓの先端面に設けられている。受電部47は、雌型コネクタ32に接続される雄形コネクタ50によって構成されている。
【００２５】
そして、電気機器13を筐体16の取付開口26に取り付けるには、まず、電気機器13を取付開口26に下方から挿入し、挿通部49に突起部30を挿通させるとともに溝部48に突片部29を挿通させる。続いて、電気機器13をスライド挿入方向Ｓにスライドさせることにより、突起部30上に溝部48の縁が移動して引っ掛かり、受電部47が給電部31に差し込まれてこれら受電部47と給電部31とが機械的に結合されるとともに電気的に接続される。したがって、突起部30上に電気機器13が支持されるとともに受電部47と給電部31との機械的な結合によって、電気機器13を取付開口26に取り付けた状態が保持される。
【００２６】
なお、受電部47には、給電部31を通じて、電源ユニット42に供給される交流電力と同じ交流電力が供給されるか、または照明器具12に設置される別の電源回路によって交流電力を変換した所定の電力が供給される。
【００２７】
本実施形態の電気機器13は、プロジェクタ52およびスピーカ53を備えるプロジェクタユニット54である。プロジェクタ52の映像を投影する投光部52aが、電気機器本体45の外周16aから外側方に向けられるとともに斜め下方に向けられている。スピーカ53は、電気機器本体45の下面に取り付けられている。
【００２８】
電気機器13は、受電部47から入力する電力をプロジェクタ52およびスピーカ53に供給する。電気機器13は、例えば無線ＬＡＮ等の無線通信方式によって映像信号（音信号含む）を受信し、プロジェクタ52およびスピーカ53に出力する通信部55を備えている。なお、通信部55は、プロジェクタ52が備えていてもよい。
【００２９】
次に、本実施形態の作用を説明する。
【００３０】
照明器具12の電源ユニット42に交流電力を供給すると、電源ユニット42で変換した直流電力が発光モジュール39の発光素子41に供給され、発光素子41が点灯する。発光素子が発する光は、入射面35aから導光板35内に入射して導光板35の全域に導光される。反射板36で下方へ反射されて導光板35の下面から出射する光が拡散板37を通じて照明空間に照射される。
【００３１】
また、プロジェクタ52の利用時には、例えばコンピュータやスマートフォン等や映像プレーヤ等の送信機器と通信部55とが例えば無線ＬＡＮ等の無線通信によって通信し、送信機器から映像を送信する。通信部55で受信した映像信号をプロジェクタ52に、音信号をスピーカ53に出力する。プロジェクタ52からは映像を壁面57や壁面57に沿って配置したスクリーン等に投影するとともに、スピーカ53からは音を鳴らす。スピーカ53は照明器具12の下面側に配置されているため、照明装置10の下方にいる人に対してダイレクトに音が伝わりやすく、音質を向上できる。
【００３２】
本実施形態の照明装置10によれば、照明器具12に取付可能な電気機器13が制限されることなく、電気機器13の機能を十分に発揮させることができる。
【００３３】
筐体16の外周16aの一部から下面の一部に亘って開口する取付開口26に電気機器13を取り付けるため、電気機器13の取り付けが容易にできるとともに、電気機器13の交換も容易にできる。
【００３４】
筐体16の外周側に電気機器13を配置するため、電気機器13がプロジェクタ52の場合には、プロジェクタ52からの投影に照明器具12が障害となることがなく、投影方向の調整範囲も広くできる。
【００３５】
電気機器13は、筐体16の外周側から取付開口26にスライド挿入することにより、機械的に取り付けることができるとともに、電気的に接続することができ、電気機器13の取付作業を容易にできる。
【００３６】
発光部17は導光板35で構成されるため、導光板35の外周の一部に開口する取付開口26を形成することができる。
【００３７】
なお、電気機器13は、プロジェクタユニット54に限らず、図７に示すように、カメラ60を備えたカメラユニット61、スポットライト62を備えたスポットライトユニット63でもよく、あるいは、スピーカや、イオン発生器等の電気を使用して動作するものであればいずれでも構わない。この場合、いずれの電気機器13とも、電気機器本体45、スライド部46および受電部47を共通構造とすることにより、筐体16の取付開口26に機械的に取り付けることができるとともに電気的に接続することができ、交換可能に構成できる。
【００３８】
なお、電気機器13は、下面カバー18の一端側のみに限らず、下面カバー18の一端側と他端側の両方に取り付けるように構成してもよい。
【００３９】
また、下面カバー18は非発光部であったが、下面カバー18の部分も発光部17に構成してもよい。
【００４０】
また、電気機器13は、筐体16の外周16aに接していれば、中間位置に限らず、４つの角部のいずれか１つの角部あるいは複数の角部に取り付けるように構成してもよい。
【００４１】
また、照明器具12は角形であったが、丸形でもよい。この場合にも、円形の外周形状の筐体16の外周16aに沿って電気機器13を取り付けるように構成すればよい。
【００４２】
また、電気機器13を筐体16の外周側から取付開口26にスライド挿入して取り付ける構造は、例えば取付開口26の両側壁にスライド支持部を設け、電気機器13の両側壁にスライド部を設け、これらスライド支持部とスライド部とが互いに凹凸嵌合するように構成してもよい。
【００４３】
また、照明器具12の発光部17は、導光板35を用いる例に限らず、複数の発光素子を下方へ向けて配置し、これら発光部をセードなどで覆うように構成してもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
10    照明装置
12    照明器具
13    電気機器
16    筐体
16a   外周
17    発光部
26    取付開口
35    導光板
【図１】
2016035875.tif 000003
【図２】
2016035875.tif 000004
【図３】
2016035875.tif 000005
【図４】
2016035875.tif 000006
【図５】
2016035875.tif 000007
【図６】
2016035875.tif 000008
【図７】
2016035875.tif 000009